(57)【特許請求の範囲】
【請求項１】
引出し内に取り付けられて使用される収納部材であって、
物品を収容する空間を形成する収納部本体と、
前記空間を複数の小空間に分割するための仕切り部材と、を備え、
前記仕切り部材は、空間を実質的に分割する仕切り壁部と、前記仕切り壁部の両側面部に形成され、該仕切り部材を前記収納部本体にスライド可能な状態で取り付けるための引掛け部と、を含み、
前記収納部本体の壁部の上端部近傍には、前記引掛け部が係合するための係合部が形成されており、
前記仕切り部材の高さ寸法が前記収納部本体よりも高く設定され、かつ前記仕切り壁部の上端部が正面視で凹状に形成されていることを特徴とする収納部材。
【請求項２】
前記仕切り壁部には開口部が形成され、かつ前記開口部の下縁部の高さ位置は前記収納部本体の前記壁部の上端部と同一高さとされていることを特徴とする請求項１に記載の収納部材。
【請求項３】
前記仕切り壁部の前記開口部の下方に仕切り壁係合部が形成されていることを特徴とする請求項２に記載の収納部材。
【請求項４】
前記収納部本体に複数の前記仕切り部材どうしを組み合せて取り付け可能なように、前記仕切り壁部の上端部近傍には仕切り壁係合部をさらに備えることを特徴とする請求項１から３のいずれかに記載の収納部材。
【請求項５】
内部に収納部材が取り付けられた引出しキャビネットであって、前記収納部材として請求項１から４のいずれかに記載の収納部材が用いられていることを特徴とする引出しキャビネット。
【発明の詳細な説明】
【技術分野】
【０００１】
本発明は、キッチンなどに用いられる引出しに取り付けられる収納部材およびこれを備えた引出しキャビネットに関するものである。
【背景技術】
【０００２】
従来、キッチンの引出し内に装着されて用いられるボックスは、脱着自在な仕切り部材を取り付けて、収納空間をさらに分割して使用勝手を良くすることが知られている（特許文献１、２参照）。
【０００３】
特許文献１、２に記載されている収納部材は、収納部材の内壁に予め仕切り部材を固定するための溝部が複数箇所設けてあり、収納物に応じてその取り付け位置や取り付け数量を変更できる構成である。
【０００４】
より具体的には、特許文献１には、形状の異なる仕切板を収納容器の溝に取り付ける構成が記載されており、特許文献２には、板状の仕切体を抽斗用トレイのトレイ本体の側壁に設けられた一対の係止用突条からなる係止体の凹溝に圧入して取り付ける構成が記載されている。
【先行技術文献】
【特許文献】
【０００５】
【特許文献１】実開平３−６６８３５号公報
【特許文献２】特開２００２−２３８６８５号公報
【発明の概要】
【発明が解決しようとする課題】
【０００６】
上記従来のボックスや収納部材では、仕切り部材を取り付ける溝部の位置は最初から決まっているので、仕切り部材により仕切られる収納空間を簡単に調整するようなことができず、ユーザーの多様なニーズに応じた収納形態には対応できないという問題がある。
【０００７】
本発明は、上記従来の問題を解決することを目的とし、取り付けられた仕切り部材の位置を自由に変更可能な構成の収納部材およびこのような収納部材を備えた引出しキャビネットを実現することを課題とする。
【課題を解決するための手段】
【０００８】
本発明は上記課題を解決するために、引出し内に取り付けられて使用される収納部材であって、物品を収容する空間を形成する収納部本体と、前記空間を複数の小空間に分割するための仕切り部材と、を備え、前記仕切り部材は、空間を実質的に分割する仕切り壁部と、前記仕切り壁部の両側面部に形成され、該仕切り部材を前記収納部本体にスライド可能な状態で取り付けるための引掛け部と、を含み、前記収納部本体の壁部の上端部近傍には、前記引掛け部が係合するための係合部が形成されており、前記仕切り部材の高さ寸法が前記収納部本体よりも高く設定され、かつ前記仕切り壁部の上端部が正面視で凹状に形成されていることを特徴とする収納部材を提供する。
【０００９】
前記収納部本体に複数の前記仕切り部材どうしを組み合せて取り付け可能なように、前記仕切り壁部の上端部近傍には仕切り壁係合部をさらに備えることが好ましい。 
【００１１】
前記仕切り壁部には開口部が形成され、かつ前記開口部の下縁部の高さ位置は前記収納部本体の前記壁部の上端部と同一高さとされていることが好ましい。
【００１２】
前記仕切り壁部の前記開口部の下方の仕切り壁部に仕切り壁係合部が形成されていることが好ましい。 
【００１３】
本発明では、内部に収納部材が取り付けられた引出しキャビネットであって、前記構成の収納部材が用いられている引出しキャビネットを提供する。
【発明の効果】
【００１４】
本発明の収納部材は、収納部本体に仕切り部材の引掛け部がスライド可能に係合する係合部が形成されているので、仕切り部材の位置が自由に変更可能となり、収納部本体に仕切り部材を取り付けた状態で、分割された収納空間を容易に調整することができる。
【図面の簡単な説明】
【００１５】
【図１】（ａ）、（ｂ）は、それぞれ本発明に係る収納部材および該収納部材を備えたキャビネットの実施例であり、全体構成の例を示す斜視図である。
【図２】上記実施例の収納部本体の縦方向に垂直な断面図である。
【図３】上記実施例の大きな仕切り部材を示す図であり、（ａ）は正面図、（ｂ）は（ａ）のＢ−Ｂ断面図、（ｃ）は（ｂ）の要部拡大図である。
【図４】上記実施例の中位な仕切り部材を示す図であり、（ａ）は正面図、（ｂ）は（ａ）のＢ−Ｂ断面図、（ｃ）は（ｂ）の要部拡大図である。
【図５】上記実施例の小さな仕切り部材を示す図であり、（ａ）は正面図、（ｂ）は大きな仕切り部材の開口部に引掛けた状態を示す図である。
【図６】上記実施例の側壁部を説明する図であり、（ａ）は断面図、（ｂ）は（ａ）の要部拡大図、（ｃ）は側壁部に小さな仕切り部材を引掛けた状態を示す図である。
【図７】上記実施例の収納部本体に大きな仕切り部材を取り付け、さらに仕切り部材に中位の仕切り部材または小さな仕切り部材を取り付けた状態を示す図である。
【図８】上記実施例の収納部本体に大きな仕切り部材を取り付け、取り外す状態を示す図であり、（ａ）、（ｂ）は取り付けた状態を示し、（ｃ）、（ｄ）は取り外しの状態を示す図である。
【発明を実施するための形態】
【００１６】
本発明に係る収納部材および該収納部材を備えた引出しキャビネットを実施するための形態を実施例に基づき図面を参照して、以下説明する。
【実施例】
【００１７】
本発明に係る収納部材１は、樹脂材料等で形成され、キッチン等で利用される引出しキャビネットの引出し２内に取り付けられて使用される。収納部材１は、後記する着脱可能な仕切り部材の取り付け位置を変更することで、収納物を収容する空間（収納空間）３の仕切り状態は変わるが、図１（ａ）、（ｂ）は、引出し２の前板（扉）１８の裏面に取り付けられた状態の収納部材１の全体構成の例を示す。
【００１８】
本明細書では、引出しキャビネットの引出し２を、図１（ａ）の矢印Ｆに示すように、その前方から正面視した際に、左右を引出しキャビネットの左右方向とし、手前奥行き方向を引出しキャビネットの前後方向とする。
【００１９】
収納部材１は、図１（ａ）、（ｂ）に示すように、収納空間３を形成する収納部本体６と、収納空間３を複数の小空間に分割するための後で詳記する仕切り部材７、８、９と、を備えている。
【００２０】
収納部本体６は、図１（ａ）、（ｂ）および図２に示すように、前壁部１２、底壁部１３、後壁部１４および左右の側壁部１５とから一体に形成されている。前壁部１２、底壁部１３、後壁部１４および左右の側壁部１５のそれぞれの上端の面の部分を、それぞれの壁部の上端部という。
【００２１】
収納部本体６は、前壁部１２をネジ等で引出し２の前板１８の裏面１９に固定することによって、図１（ａ）に示すように、引出し２の前板１８に取り付けられる。     
【００２２】
前壁部１２と後壁部１４には、その上端部２１の近傍には係合部２３が形成されている。より詳細には、図２に示すように、前壁部１２と後壁部１４の上端部２１近くの下方外面２４には、前方に引込んだ段状の係合部２３が左右方向の略全領域に形成されている。この係合部２３には、後記する大きな仕切り部材７または中位の仕切り部材８の引掛け部２５がスライド可能に係合する。
【００２３】
左右の側壁部１５を図６に示すが、側壁部１５は、図６（ａ）、（ｂ）に示すように、その上端部１６の近傍には、前後方向の略全域に係合部３０が形成されている。係合部３０の構成は、前壁部１２と後壁部１４に形成されている係合部２３と同様であり、側壁部１５の上端部１６近くの下方外面に、前方に段状に引込んだ構成として形成されている。
【００２４】
仕切り部材は、収納空間を複数の小空間に分割するものであり、いくつかの種類が考えられるが、この実施例では、大きな仕切り部材７（図３参照）、中位の仕切り部材８（図４参照）、および小さな仕切り部材９（図５参照）の３つの仕切り部材を備えている。
【００２５】
本実施例では、３つの仕切り部材７、８、９の大きさの関係は、次のとおり形成されている。即ち、３つの仕切り部材７、８、９の高さについては、大きな仕切り部材７は、中位の仕切り部材８および小さな仕切り部材９より高く形成されている。３つの仕切り部材７、８、９の横幅については、大きな仕切り部材７および中位の仕切り部材８は互いに同じ横幅であり、小さな仕切り部材９より大きく形成されている。
【００２６】
３つの仕切り部材７、８、９のそれぞれの特徴的な構成は、後記するが、３つの仕切り部材７、８、９に共通する構成を、図３〜図５等を参照にして以下説明する。
【００２７】
ところで、本明細書では、板状の仕切り部材７、８、９を正面視するとは、その厚み方向（板を貫通する方向）から正面視する意味であり、正面視して表側の平坦面を正面部と言い、裏面側の平坦面を裏面部と言い、左右の側面を側面部と言う。また、仕切り部材７、８、９の上面（上端の面）を上端部と言う。
【００２８】
３つの仕切り部材７、８、９は、それぞれ図３、図４、図５に示すように、収納空間３を実質的に分割する仕切り壁部３１、３２、３３と、仕切り壁部３１、３２、３３の両側面部３６、３７、３８に形成された引掛け部２５と、を備えており、正面側、裏面側および側面側のいずれからみても左右対称に形成されている。
【００２９】
引掛け部２５は、仕切り壁部３１、３２、３３の両側面部３６、３７、３８から略∩字型で外側に向けて形成されている。引掛け部２５の下端部には鈎部２６が形成されている。
【００３０】
鈎部２６は、図３（ａ）、図８（ｂ）に示すように、その内側内面に前壁部１２と後壁部１４の係合部２３等と係合可能な係合段部２７が形成されている。また鈎部２６において、係合段部２７の下方には下向きに凸状の曲面部２８が形成され、下端には指掛け部２９が形成されている。
【００３１】
図３（ａ）に示すように、大きな仕切り部材７の仕切り壁部３１は、下半部４３と上半部４４とから成る。大きな仕切り部材７では、引掛け部２５は、仕切り壁部３１の下半部４３の上端における両側面部３６から外側に向けて形成されている。    
【００３２】
仕切り壁部３１の上半部４４の上端部４５は、図３（ａ）に示すように、正面視で凹状に形成されており、上半部４４の下部には、矩形の開口部４８が形成されている。図３（ｃ）に示すように、開口部４８の下縁部４９の角部５２（下縁部４９と仕切り壁部３１の正面部５０および裏面部５１それぞれとの角部５２）には、それぞれＲ部（曲面部）が形成されている。
【００３３】
図７に示すように、大きな仕切り部材７を収納部本体６に取り付けた際に、開口部４８の下縁部４９の高さは、収納部本体６の前壁部１２、後壁部１４および左右両側壁部１５の上端部と同一高さに形成されている。また、中位の仕切り部材８を収納部本体６に取り付けた際に、開口部４８の下縁部４９の高さは中位の仕切り部材８の上端部５６の高さと同じとなるようにすることが好ましい。
【００３４】
図３（ｃ）に示すように、開口部４８の下縁部４９近くの下方であって、正面部５０および裏面部５１のそれぞれに、断面で凹状に窪んだ仕切り壁係合部５７が開口部４８の下方の略全域に形成されている。この仕切り壁係合部５７の上縁５８からの深さｄは、本実施例では、０．５ｍｍに形成されている。この仕切り壁係合部５７には、中位の仕切り部材８または小さな仕切り部材９の引掛け部２５が係合する。仕切り壁係合部５７は仕切り壁部３１の下半部４３より肉厚に形成されている。これは、中位の仕切り部材８や小さい仕切り部材９を左右両側から取り付けることが可能な構成とするためである。
【００３５】
図４（ａ）に示すように、中位の仕切り部材８では引掛け部２５は、仕切り壁部３２の左右両側面部３７の上端から外側に向けて延びるように形成されおり、その構成は、大きな仕切り部材７の引掛け部２５と同じ構成である。図４（ｃ）に示すように、中位の仕切り部材８の上端部５６の角部６０（上端部５６と、正面部６１および裏面部６２それぞれとの角部６０）にはＲ部（曲面部）が形成されている。
【００３６】
中位の仕切り部材８の仕切り壁部３２の上端部５６近傍には、仕切り壁係合部５７を備えている。より詳しくは、図４（ｃ）に示すように、仕切り壁部３２の上端部５６近くの下方であって、仕切り壁部３２の正面部６１および裏面部６２のそれぞれに、断面で凹状に窪んだ仕切り壁係合部５７が左右方向の略全域に形成されている。
【００３７】
この仕切り壁係合部５７の上縁５８からの深さｄは、大きな仕切り部材７の開口部４８の下方に形成された仕切り壁係合部５７と同様に、０．５ｍｍに形成されている（図４（ｃ）参照）。この仕切り壁係合部５７には、小さな仕切り部材９の引掛け部２５が係合し、場合によっては、他の中位の仕切り部材８および大きな仕切り部材７の引掛け部２５も係合可能である。 
【００３８】
図５（ａ）に示す小さな仕切り部材９は、中位の仕切り部材８より横幅は小さいが、その仕切り壁部３３の左右両側面部３８には、大きな仕切り部材７および中位の仕切り部材８と同様の構成である引掛け部２５が形成されている。
【００３９】
（作用） 
以上の構成から成る本発明に係る収納部材および該収納部材を備えた引出しキャビネットの作用を、収納部本体６への各仕切り部材の取り付け、取り外しの仕方などを通して説明する。収納部材１は、収納部本体６をネジ等によって引出しキャビネットの引出し２の前板１８の裏面１９に固定することで、引出し２内に取り付ける。
【００４０】
大きな仕切り部材７は、図１（ａ）、（ｂ）に示すように、両側の引掛け部２５を引出し２の前後方向となるように向けて、収納部本体６の前壁部１２と後壁部１４の間に位置させ、両側の引掛け部２５をそれぞれ前壁部１２の上端部１０と後壁部１４の上端部２１を挟持するように掛けてから、下方へ押し込んで挿入する。
【００４１】
大きな仕切り部材７を下方へ押し込む際に、両側の引掛け部２５の鈎部２６は、下向きに凸状の曲面部２８が形成されているので、前壁部１２の上端部１０と後壁部１４の上端部２１と係合することなく、前壁部１２と後壁部１４の外面を摺接するので、引掛け部２５をその弾力に抗して外側に開くようにして下方に押し込むことが可能となる。
【００４２】
このようにして大きな仕切り部材７を下方に押し込んで挿入していくと、図７、図８（ｂ）に示すように、前壁部１２と後壁部１４に引掛けた引掛け部２５の鈎部２６は、その係合段部２７によって前壁部１２と後壁部１４の係合部２３に係合する。
【００４３】
このように大きな仕切り部材７を収納部本体６に取り付けると、図１（ａ）、（ｂ）に示すように、収納部本体６の収納空間３が分割される。大きな仕切り部材７の引掛け部２５は、前壁部１２と後壁部１４の係合部２３に係合するので、収納部材１から収納物を取り出す際に、大きな仕切り部材７は、一緒に上方に取り外されるようなことが防止でき、安定した状態で取り付けられる。
【００４４】
大きな仕切り部材７を収納部本体６から取り外す場合には、図８（ｄ）に示すように、引掛け部２５の鈎部２６の指掛け部２９に指を掛けて、引掛け部２５の弾力に抗して外側に開くことにより、鈎部２６の係合段部２７と後壁部１４の係合部２３と係合状態を解除し、収納部本体６を上方に持ち上げればよい。
【００４５】
中位の仕切り部材８を、図１（ａ）、（ｂ）に示すように収納部本体６に取り付け、取り外す場合も、大きな仕切り部材７を取り付け、取り外す場合と同様に行うことができる。中位の仕切り部材８についても、大きな仕切り部材７と同様に、その引掛け部２５は前壁部１２と後壁部１４の係合部２３に係合するので、収納部材１から収納物を取り出す際に、中位の仕切り部材８が一緒に上方に取り外されるようなことが防止できる。
【００４６】
小さな仕切り部材９は、図１（ｂ）に示すように、収納部本体６の長手方向に向けて配置し、大きな仕切り部材７と中位の仕切り部材８との間に取り付けられる。このように小さな仕切り部材９を取り付ける場合は、小さな仕切り部材９の一方の引掛け部２５を大きな仕切り部材７の開口部４８の下縁部４９に引掛け、他方の引掛け部２５を中位の仕切り部材８の上端部５６に引掛ける。
【００４７】
そして、小さな仕切り部材９を下方に押し込んでいくと、図５（ｂ）に示すように、一方の引掛け部２５の鈎部２６は、仕切り部材の開口部４８の下方の仕切り壁係合部５７に係合し、また他方の引掛け部２５の鈎部２６は中位の仕切り部材８の上端部５６の下方の仕切り壁係合部５７に係合する。
【００４８】
これによって、小さな仕切り部材９は、大きな仕切り部材７と中位の仕切り部材８との間の収納空間３を分割することができ、そして、収納物の取り出しとともに取り出されるようなことなく、安定した状態で取り付けられる。
【００４９】
小さな仕切り部材９の一方の引掛け部２５を、図６（ｃ）に示すように、側壁部１５の上端部１６に引掛けて、鈎部２６を側壁部１５の係合部３０に係合させることで、図１（ａ）に示すように、収納空間３の一部を前後に仕切ることが可能である。
【００５０】
なお、図１（ａ）では、小さな仕切り部材９の他方の引掛け部２５を、大きな仕切り部材７または中位の仕切り部材８に引掛けることなくフリーな状態としているが、大きな仕切り部材７または中位の仕切り部材８に引掛ける構成とすれば、より安定した状態に取り付けることができる。
【００５１】
以上、大きな仕切り部材７、中位の仕切り部材８および小さな仕切り部材９の収納本体への取り付け、取り外しについて説明したが、これらの仕切り部材７、８、９をそれぞれ取り付ける枚数、取り付けの配置等は、収納物の形状、使用者のニーズ等に応じて自由に設定可能であり、必要に応じて仕切り部材を取り外して再び取り付けることで変更可能である。本明細書では係合部２３、仕切り壁係合部５７が幅方向で略全域に形成されている実施例を示したが、これに限らず幅方向において部分的に形成されるのでもよい。
【００５２】
大きな仕切り部材７および中位の仕切り部材８は、それぞれその引掛け部２５が、前壁部１２の上端部２０および後壁部１４の上端部２１にスライド可能に取り付けられているので、図１（ａ）の矢印に示すように仕切り部材を移動して、仕切り位置ないし収納空間３の分割状態を連続的に調整することが可能である。引掛け部２５が係合部２３、３０と係合するので収納物の影響を受けず安定して仕切り部材７、８が保持される。
【００５３】
同様に、中位の仕切り部材８および小さな仕切り部材９は、それぞれその引掛け部２５が、大きな仕切り部材７の開口部４８の下縁部４９、または他の中位の仕切り部材８の上端部５６若しくは側壁部１５の上端部１６に、スライド可能に取り付けられているので、それらの上端部に沿って仕切り部材を移動して、仕切り位置ないし収納空間３の分割状態を連続的に調整することが可能である。引掛け部２５が係合部３０、５７と係合するので収納物の影響を受けず安定して仕切り部材８、９が保持される。
【００５４】
また、中位の仕切り部材８の上端部５６の近傍にも仕切り壁係合部５７を設けたので、中位の仕切り部材８に対して、大きな仕切り部材７、中位の仕切り部材８又は小さな仕切り部材９を直交するように配置し、その引っ掛け部２５を仕切り壁係合部５７に引っ掛けて取り付けることができる。これによって、収納空間３を前後に分割することができるので、収納部本体６に複数の仕切り部材７、８、９を適宜組み合せれば、所望のとおりに分割された収納部を得ることができる。
【００５５】
大きな仕切り部材７の上端部４５には凹部が形成されているので、フライパンやレードル（おたま）類のような収納物の柄を上端部４５にかけた際に、柄が横方向にずれ落ちるようなことが防止できる。
【００５６】
大きな仕切り部材７および中位の仕切り部材８が収納部本体６に取り付けられた状態で、大きな仕切り部材７の開口部４８の下縁部４９と中位の仕切り部材８の上端部は、同一高さになるようにすれば、小さな仕切り部材９を、その両側の引掛け部２５を大きな仕切り部材７の開口部４８の下縁部４９と中位の仕切り部材８の上端部５６に引掛けて取り付けると、小さな仕切り部材９は、その上端部が傾斜するようなことなく水平に取り付けられる。
【００５７】
また、上記のとおり、大きな仕切り部材７の開口部４８の下縁部４９と中位の仕切り部材８の上端部５６を同一高さになるようし、さらに、これらの高さを収納部本体６の前壁部１２の上端部２０、後壁部１４の上端部２１および左右両側壁部１５の上端部１６と同一高さとすれば、それぞれの上端部の高さに凸凹がなく見栄えがよい。しかも仕切り壁係合部７５に中位の仕切り部材８や小さい仕切り部材９を取り付けて使用できるため、使い勝手がよい。
【００５８】
引出しキャビネットの内部に、上記構成の収納部材を１を取り付けることにより、引出しキャビネットの引出し２内における収納部の整理がし易くなる。小さな収納物が引出し２の開け閉めに伴って散乱するようなことが抑制できる。
【００５９】
大きな仕切り部材７、中位の仕切り部材８および小さな仕切り部材９は、それぞれ正面側、裏面側および側面側のいずれから見ても左右対称に形成されているので、これらの仕切り部材の正面部と裏面部を区別することなく、また両側面部を互いに区別することなく、収納部本体６に取り付けることが可能である。
【００６０】
例えば、図１（ｂ）に示すように、小さな仕切り部材９を大きな仕切り部材７または中位の仕切り部材８に対して直交して取り付ける際に、大きな仕切り部材７または中位の仕切り部材８の正面側および裏面側のいずれにでも取り付けることが可能となる。
【００６１】
以上、本発明に係る収納部材および該収納部材を備えた引出しキャビネットを実施するための最良の形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００６２】
本発明に係る収納部材および該収納部材を備えた引出しキャビネットは上記のような構成であるから、キッチンの引出しキャビネットだけでなく、各種の引出し内に取り付ける収納部材、或いは引出しと関係なく収納具自体として使用する収納部材としても適用可能である。
【符号の説明】
【００６３】
１  収納部材                                                 
２  引出しキャビネットの引出し                               
３  収納空間                                                 
６  収納部本体                                               
７  大きな仕切り部材                                         
８  中位の仕切り部材                                         
９  小さな仕切り部材                                         
１２  前壁部                                                 
１３  底壁部                                                 
１４  後壁部                                                 
１５  左右の側壁部                                           
１６  側壁部の上端部                                         
１８  引出しの前板（扉）                                           
１９  前板（扉）の裏面                                             
２０  前壁部の上端部
２１  後壁部の上端部                   
２３  後壁部の係合部                                         
２４  前壁部と後壁部の外面                                           
２５  引掛け部                                               
２６  鈎部                                                   
２７  係合段部                                               
２８  鈎部の曲面部                                           
２９  指掛け部                                               
３０  側壁部の係合部                                         
３１  大きな仕切り部材の仕切り壁部                           
３２  中位の仕切り部材の仕切り壁部                           
３３  小さな仕切り部材の仕切り壁部                           
３６  大きな仕切り部材の仕切り壁部の側面部                   
３７  中位の仕切り部材の仕切り壁部の側面部                   
３８  小さな仕切り部材の仕切り壁部の側面部                   
４３  大きな仕切り部材の仕切り壁部の下半部                   
４４  大きな仕切り部材の仕切り壁部の上半部                   
４５  上半部の上端部                                         
４８  開口部                                                 
４９  開口部の下縁部                                         
５０  大きな仕切り部材の仕切り壁部の正面部                   
５１  大きな仕切り部材の仕切り壁部の裏面部                   
５２  開口部の下縁部の角部                                   
５６  中位の仕切り部材の上端部                               
５７  仕切り壁係合部
５８  仕切り壁係合部の上縁                                         
６０  中位の仕切り部材の上端部の角部                         
６１  中位の仕切り部材の正面部                               
６２  中位の仕切り部材の裏面部                               
【図１】
0006480158.tif 000002
【図２】
0006480158.tif 000003
【図３】
0006480158.tif 000004
【図４】
0006480158.tif 000005
【図５】
0006480158.tif 000006
【図６】
0006480158.tif 000007
【図７】
0006480158.tif 000008
【図８】
0006480158.tif 000009